(57)【要約】【課題】音声メディアや映像メディアを用いたネットワークコミュニケーションサービスを統一的に品質評価する。【解決手段】心理得点推定部２により、パラメータ記録部１で記録された各品質パラメータに基づいて、コミュニケーションサービスからユーザが受ける印象を構成する所定の心理要因ごとに、その度合いを示す心理得点をそれぞれ推定し、満足度推定部３で、これら推定された各心理得点の線形和に基づき、ユーザのコミュニケーションサービスに対する満足度を推定する。【選択図】  図１
2006324865.tif 000002
【特許請求の範囲】
【請求項１】
ネットワークを介して音声や映像などのメディアを送受信することによりユーザが通信相手と会話するコミュニケーションサービスについて、このコミュニケーションサービスの通信品質に対する前記ユーザの満足度を推定するネットワークコミュニケーションサービス満足度推定装置であって、
前記コミュニケーションサービスで前記通信相手から受信した映像メディアの品質に関する映像品質パラメータ、前記コミュニケーションサービスで前記通信相手から受信した音声メディアの品質に関する音声品質パラメータ、およびこれらメディアの遅延に関する遅延品質パラメータを記録部にそれぞれ記録するパラメータ記録部と、
このパラメータ記録部で記録された前記各品質パラメータに基づいて、前記コミュニケーションサービスから前記ユーザが受ける印象を構成する所定の心理要因ごとに、その度合いを示す心理得点をそれぞれ推定する心理得点推定部と、
前記心理得点推定部で推定された各心理得点の線形和に基づき、前記ユーザの前記コミュニケーションサービスに対する満足度を推定する満足度推定部と
を備えることを特徴とするネットワークコミュニケーションサービス満足度推定装置。
【請求項２】
請求項１に記載のネットワークコミュニケーションサービス満足度推定装置において、
前記心理得点推定部は、前記コミュニケーションサービスから前記ユーザが受ける美的感に関する心理得点を推定する美的感推定手段と、前記コミュニケーションサービスから前記ユーザが受ける躍動感に関する心理得点を推定する躍動感推定手段と、前記コミュニケーションサービスから前記ユーザが受ける力量感に関する心理得点を推定する力量感推定手段とを有することを特徴とするネットワークコミュニケーションサービス満足度推定装置。
【請求項３】
ネットワークを介して音声や映像などのメディアを送受信することによりユーザが通信相手と会話するコミュニケーションサービスについて、情報処理装置により、このコミュニケーションサービスの通信品質に対する前記ユーザの満足度を推定するネットワークコミュニケーションサービス満足度推定方法であって、
前記コミュニケーションサービスで前記通信相手から受信した映像メディアの品質に関する映像品質パラメータ、前記コミュニケーションサービスで前記通信相手から受信した音声メディアの品質に関する音声品質パラメータ、およびこれらメディアの遅延に関する遅延品質パラメータを記録部にそれぞれ記録するパラメータ記録ステップと、
このパラメータ記録ステップで記録された前記各品質パラメータに基づいて、前記コミュニケーションサービスから前記ユーザが受ける印象を構成する所定の心理要因ごとに、その度合いを示す心理得点をそれぞれ推定する心理得点推定ステップと、
前記心理得点推定ステップで推定された各心理得点の線形和に基づき、前記ユーザの前記コミュニケーションサービスに対する満足度を推定する満足度推定ステップと
を備えることを特徴とするネットワークコミュニケーションサービス満足度推定方法。
【請求項４】
請求項３に記載のネットワークコミュニケーションサービス満足度推定方法において、
前記心理得点推定ステップは、前記コミュニケーションサービスから前記ユーザが受ける美的感に関する心理得点を推定する美的感推定ステップと、前記コミュニケーションサービスから前記ユーザが受ける躍動感に関する心理得点を推定する躍動感推定ステップと、前記コミュニケーションサービスから前記ユーザが受ける力量感に関する心理得点を推定する力量感推定ステップとを有することを特徴とするネットワークコミュニケーションサービス満足度推定方法。
【請求項５】
ネットワークを介して音声や映像などのメディアを送受信することによりユーザが通信相手と会話するコミュニケーションサービスについて、このコミュニケーションサービスの通信品質に対する前記ユーザの満足度を推定するネットワークコミュニケーションサービス満足度推定装置のコンピュータに、
前記コミュニケーションサービスで前記通信相手から受信した映像メディアの品質に関する映像品質パラメータ、前記コミュニケーションサービスで前記通信相手から受信した音声メディアの品質に関する音声品質パラメータ、およびこれらメディアの遅延に関する遅延品質パラメータを記録部にそれぞれ記録するパラメータ記録ステップと、
このパラメータ記録ステップで記録された前記各品質パラメータに基づいて、前記コミュニケーションサービスから前記ユーザが受ける印象を構成する所定の心理要因ごとに、その度合いを示す心理得点をそれぞれ推定する心理得点推定ステップと、
前記心理得点推定ステップで推定された各心理得点の線形和に基づき、前記ユーザの前記コミュニケーションサービスに対する満足度を推定する満足度推定ステップと
を実行させるプログラム。
【請求項６】
請求項５に記載のプログラムにおいて、
前記心理得点推定ステップは、前記コミュニケーションサービスから前記ユーザが受ける美的感に関する心理得点を推定する美的感推定ステップと、前記コミュニケーションサービスから前記ユーザが受ける躍動感に関する心理得点を推定する躍動感推定ステップと、前記コミュニケーションサービスから前記ユーザが受ける力量感に関する心理得点を推定する力量感推定ステップとを有することを特徴とするプログラム。
【発明の詳細な説明】
【技術分野】
【０００１】
本発明は、ネットワークコミュニケーションサービス技術に関し、特に音声や映像などのメディアを用いてネットワーク経由でユーザが通信相手と会話する双方向マルチモーダル（multimodal）サービス技術に関する。
【背景技術】
【０００２】
インターネットアクセス回線の高速・広帯域化に伴い、音声や映像などの複数のメディアを用いて会話する映像コミュニケーションサービスなどの双方向マルチモーダルサービスが期待されている。
このようなネットワークコミュニケーションサービスで用いるインターネットでは通信品質が保証されているわけではない。このため、音声や映像などのメディアを用いて通信を行う場合、ユーザ間を結ぶネットワークの回線帯域が狭かったり、回線が輻輳したりすると、これらメディアに対してユーザが知覚する品質すなわち主観品質が劣化してしまう。
【０００３】
具体的には、音声メディアに品質劣化が加わると、途切れ・雑音・応答の遅れなどとして知覚され、映像メディアに品質劣化が加わると、ぼけ・にじみ・モザイク状の歪・ぎくしやく感・応答の遅れなどとして知覚される。また、これらメディアの信号送信時の処理時間（送信バッファ時間、音声および映像のエンコード処理時間など）、ネットワークにおける遅延時間（ネットワーク構成、通信者問の物理的距離など）、これらメディアの信号受信時の処理時間（受信バッファ時間、音声および映像のデコード処理時間など）に起因する遅延時間によって、音声や映像の応答の遅れが知覚される場合がある。
【０００４】
このようなネットワークコミュニケーションサービスを品質良く提供するためには、サービス提供に先立った品質設計やサービス開始後の品質管理が重要となり、この品質管理には、ユーザが享受する品質を適切に表現でき、しかも簡便かつ効率的な品質評価技術が必要となる。
【０００５】
従来、音声品質を推定する技術については、国際標準化機関ＩＴＵ−Ｔにおいて、音声品質客観評価法：ＰＥＳＱ(Perceptual Evaluation of Speech Quality)が規定されている（例えば、非特許文献１など参照）。また、映像品質を推定する技術についても、ＩＴＵ−Ｔにおいて映像品質客観評価法が記載されている（例えば、非特許文献２など参照）。これらの客観評価技術は、ある一定の条件下で主観品質の統計的曖昧さと同程度の推定誤差で主観品質を推定可能である。
また、テレビ放送のような片方向の音声および映像サービスを前提として、音声品質と映像品質から総合品質を求める技術も提案されている（例えば、特許文献１など参照）。
【０００６】
【特許文献１】特願平８−２８９３３３号公報
【非特許文献１】Recommendation P.862 "Perceptual evaluation of speech quality (PESQ), an objective method for end-to-end speech quality assessment of narrow-band telephone networks and speech codecs"、ITU-T、2001-02
【非特許文献２】Recommendation J.144 "Objective perceptual video quality measurement techniques for digital cable television in the presence of a full reference"、ITU-T 、2004-03
【発明の開示】
【発明が解決しようとする課題】
【０００７】
しかしながら、このような従来技術では、客観品質評価法において、音声メディアあるいは映像メディアなどの個別メディアの品質を取り扱っており、音声メディアおよび映像メディアを併用する場合など、各種ネットワークコミュニケーションを統一的に品質評価できないという問題があった。また、テレビ電話／会議サービスなどのような双方向通信サービスの場合には、各メディアの伝送遅延時間やメディア間の遅延時間のずれ（同期ずれ）がサービスの品質を劣化させる原因となり得るが、テレビ放送のような片方向の音声および映像サービスを前提としている場合、双方向通信サービスの品質評価尺度として利用できないという問題があった。
【０００８】
本発明は、このような課題を解決するためのものであり、音声や映像などのメディアを用いたネットワークコミュニケーションサービスを統一的に品質評価できるネットワークコミュニケーションサービス満足度推定装置、方法、およびプログラムを提供することを目的としている。
【課題を解決するための手段】
【０００９】
このような目的を達成するために、本発明にかかるネットワークコミュニケーションサービス満足度推定装置は、ネットワークを介して音声や映像などのメディアを送受信することによりユーザが通信相手と会話するコミュニケーションサービスについて、このコミュニケーションサービスの通信品質に対するユーザの満足度を推定するネットワークコミュニケーションサービス満足度推定装置であって、コミュニケーションサービスで通信相手から受信した映像メディアの品質に関する映像品質パラメータ、コミュニケーションサービスで通信相手から受信した音声メディアの品質に関する音声品質パラメータ、およびこれらメディアの遅延に関する遅延品質パラメータを記録部にそれぞれ記録するパラメータ記録部と、このパラメータ記録部で記録された各品質パラメータに基づいて、コミュニケーションサービスからユーザが受ける印象を構成する所定の心理要因ごとに、その度合いを示す心理得点をそれぞれ推定する心理得点推定部と、心理得点推定部で推定された各心理得点の線形和に基づき、ユーザのコミュニケーションサービスに対する満足度を推定する満足度推定部とを備えている。
【００１０】
この際、心理得点推定部に、コミュニケーションサービスからユーザが受ける美的感に関する心理得点を推定する美的感推定手段と、コミュニケーションサービスからユーザが受ける躍動感に関する心理得点を推定する躍動感推定手段と、コミュニケーションサービスからユーザが受ける力量感に関する心理得点を推定する力量感推定手段とを設けてもよい。
【００１１】
また、本発明にかかるネットワークコミュニケーションサービス満足度推定方法は、ネットワークを介して音声や映像などのメディアを送受信することによりユーザが通信相手と会話するコミュニケーションサービスについて、情報処理装置により、このコミュニケーションサービスの通信品質に対するユーザの満足度を推定するネットワークコミュニケーションサービス満足度推定方法であって、コミュニケーションサービスで通信相手から受信した映像メディアの品質に関する映像品質パラメータ、コミュニケーションサービスで通信相手から受信した音声メディアの品質に関する音声品質パラメータ、およびこれらメディアの遅延に関する遅延品質パラメータを記録部にそれぞれ記録するパラメータ記録ステップと、このパラメータ記録ステップで記録された各品質パラメータに基づいて、コミュニケーションサービスからユーザが受ける印象を構成する所定の心理要因ごとに、その度合いを示す心理得点をそれぞれ推定する心理得点推定ステップと、心理得点推定ステップで推定された各心理得点の線形和に基づき、ユーザのコミュニケーションサービスに対する満足度を推定する満足度推定ステップとを備えている。
【００１２】
この際、心理得点推定ステップに、コミュニケーションサービスからユーザが受ける美的感に関する心理得点を推定する美的感推定ステップと、コミュニケーションサービスからユーザが受ける躍動感に関する心理得点を推定する躍動感推定ステップと、コミュニケーションサービスからユーザが受ける力量感に関する心理得点を推定する力量感推定ステップとを設けてもよい。
【００１３】
また、本発明にかかるプログラムは、ネットワークを介して音声や映像などのメディアを送受信することによりユーザが通信相手と会話するコミュニケーションサービスについて、このコミュニケーションサービスの通信品質に対するユーザの満足度を推定するネットワークコミュニケーションサービス満足度推定装置のコンピュータに、コミュニケーションサービスで通信相手から受信した映像メディアの品質に関する映像品質パラメータ、コミュニケーションサービスで通信相手から受信した音声メディアの品質に関する音声品質パラメータ、およびこれらメディアの遅延に関する遅延品質パラメータを記録部にそれぞれ記録するパラメータ記録ステップと、このパラメータ記録ステップで記録された各品質パラメータに基づいて、コミュニケーションサービスからユーザが受ける印象を構成する所定の心理要因ごとに、その度合いを示す心理得点をそれぞれ推定する心理得点推定ステップと、心理得点推定ステップで推定された各心理得点の線形和に基づき、ユーザのコミュニケーションサービスに対する満足度を推定する満足度推定ステップとを実行させる。
【００１４】
この際、心理得点推定ステップで、コミュニケーションサービスからユーザが受ける美的感に関する心理得点を推定する美的感推定ステップと、コミュニケーションサービスからユーザが受ける躍動感に関する心理得点を推定する躍動感推定ステップと、コミュニケーションサービスからユーザが受ける力量感に関する心理得点を推定する力量感推定ステップとを実行するようにしてもよい。
【発明の効果】
【００１５】
本発明によれば、ネットワークコミュニケーションサービスでの映像、音声、遅延に関する各品質パラメータに基づいて、ネットワークコミュニケーションサービスからユーザが受ける印象を構成する所定の心理要因ごとに、その度合いを示す心理得点をそれぞれ推定し、これら心理得点の線形和に基づきユーザのコミュニケーションサービスに対する満足度を推定するようにしたので、ネットワークコミュニケーションサービスからユーザが受ける印象に応じた品質評価尺度を得ることができ、音声メディアや映像メディアを用いた通信サービスを総合的に評価できる。
【００１６】
したがって、音声のみを用いた音声コミュニケーションサービスや音声メディアと映像メディアを用いた映像コミュニケーションサービスなど、異なるメディアを用いた複数の通信サービスに関する通信品質を統一的に評価することができる。また、テレビ電話／会議サービスなど、各メディアの伝送遅延時間やメディア間の遅延時間のずれ（同期ずれ）がサービスの品質を劣化させる原因となり得る双方向マルチモーダルサービスについても、その品質評価尺度として利用できる。
【００１７】
このほか、サービスを利用するユーザに対してある一定以上の満足度を保っているかどうかを容易に判断することができる。また、満足度をより改善するための指針として、改善すべき品質パラメータを明確にできるとともに、料金設定などサービス提供者側が適切にユーザ満足度を設計できる。これらにより、上記サービスで用いる品質パラメータの設計や、提供中のサービスの品質実態を把握・管理することが可能となる。
【発明を実施するための最良の形態】
【００１８】
次に、本発明の実施の形態について図面を参照して説明する。
［第１の実施の形態］
まず、図１を参照して、本発明の第１の実施の形態にかかるネットワークコミュニケーションサービス満足度推定装置について説明する。図１は、本発明の第１の実施の形態にかかるネットワークコミュニケーションサービス満足度推定装置の構成を示すブロック図である。
このネットワークコミュニケーションサービス満足度推定装置１００は、全体として入力情報をコンピュータで演算処理して所望の情報を出力する情報処理装置からなり、パラメータ記録部１、心理得点推定部２、および満足度推定部３とから構成されている。
【００１９】
本実施の形態では、パラメータ記録部１で記録された映像品質（コーデック、ビットレート、フレームレート、映像無効パケット率など）、音声品質（コーデック、ビットレート、音声無効パケット率、エコーなど）、遅延品質（映像遅延時間、音声遅延時間など）に関する品質パラメータから、電話などの音声コミュニケーションサービスまたはテレビ電話などの映像コミュニケーションサービスからユーザが受ける印象を構成する各心理要因の得点を心理得点推定部２で推定し、これら心理要因の得点の線形和からネットワークコミュニケーションサービスに対する統一的な満足度を満足度推定部３で推定するようにしたものである。
【００２０】
通常、ユーザは、電話などの音声コミュニケーションサービスまたはテレビ電話などの映像コミュニケーションサービスについて、ユーザの感性により心理的な印象（イメージ）を受け取り、その結果として主観評価が導かれる。本発明でいう心理要因とは、評価対象となるネットワークコミュニケーションサービスからユーザが受け取る印象を構成する要因、すなわち具体的な表現指標であり、例えば美的感、躍動感、力量感などがある。また、本発明でいう心理得点とは、これら心理要因の度合い（印象の強さ）を示す尺度である。
【００２１】
次に、図１を参照して、ネットワークコミュニケーションサービス満足度推定装置の構成について詳細に説明する。
ネットワークコミュニケーションサービス満足度推定装置１００は、ハードディスクやメモリなどの記憶装置を用いて各種情報を記録する記録部（図示せず）と、ＣＰＵやＤＳＰなどのマイクロプロセッサとその周辺回路を有し、所定のプログラムを読み込んで実行することにより、上記ハードウェアとプログラムとを協働させて各種機能手段を実現する演算処理部（図示せず）とを備えている。
【００２２】
パラメータ記録部１は、上記記録部からなり、装置外部から入力された各種品質パラメータを受け取って記録する機能を有している。主な品質パラメータとしては、フレームレート、映像ビットレート（スループット）、音声／映像コーデック、音声無効パケット率、映像無効パケット率、遅延時間などの映像、音声、遅延に関するパラメータがある。特に、無効パケット率に関連が高い公知技術としては、例えば、特開２００２−０６４５３９号公報があげられる。
【００２３】
パラメータ記録部１には、品質パラメータの種別ごとに、映像品質パラメータ記録手段１１、音声品質パラメータ記録手段１２、および遅延品質パラメータ記録手段１３が設けられている。
入力された品質パラメータのうち、映像メディアに関する映像品質パラメータ５１については映像品質パラメータ記録手段１１で記録される。また、音声メディアに関する音声品質パラメータ５２については音声品質パラメータ記録手段１２で記録され、遅延に関する遅延品質パラメータ５３については遅延品質パラメータ記録手段１３で記録される。
【００２４】
心理得点推定部２は、上記演算処理部からなり、この心理得点推定部２で実現される主な機能手段としては、美的感推定手段２１、躍動感推定手段２２、および力量感推定手段２３がある。
美的感推定手段２１は、パラメータ記録部１で記録された映像、音声、遅延に関する品質パラメータ値から美的感に関する心理要因推定値を算出し出力する機能を有している。躍動感推定手段２２は、パラメータ記録部１で記録された映像、音声、遅延に関する品質パラメータ値から躍動感に関する心理要因推定値を算出し出力する機能を有している。力量感推定手段２３は、パラメータ記録部１で記録された映像、音声、遅延に関する品質パラメータ値から力量感に関する心理要因推定値を算出し出力する機能を有している。
【００２５】
満足度推定部３は、演算処理部からなり、心理得点推定部２により推定された美的感、躍動感、力量感の心理得点を入力とし、それらの値に重み付けした値の和すなわち線形和に基づいて、ネットワークコミュニケーションサービスに対するユーザの満足度を推定し、満足度評価値４を出力する機能を有している。
【００２６】
［第１の実施の形態の動作］
次に、図２を参照して、本発明の第１の実施の形態にかかるネットワークコミュニケーションサービス満足度推定装置の動作について説明する。図２は、本発明の第１の実施の形態にかかるネットワークコミュニケーションサービス満足度推定装置の心理得点推定部の各推定手段を示す構成例である。
【００２７】
発明者らは、主観評価実験を行った結果、音声または映像を用いたネットワークコミュニケーションサービスに対する満足度ＭＯＳ（Mean Opinion Score）は、以下の関数で推定可能であることがわかった。
ＭＯＳ＝α＋βＳ1＋γＳ2＋δＳ3
ここで、α、β、γ、δは定数、Ｓ1，Ｓ2，Ｓ3はそれぞれ美的感、躍動感、力量感の心理得点で、音声または映像コミュニケーションサービスをどのような利用シーンで利用するのか、どのような会話を行うかなどにより変化する値である。想定するサービス利用シーンを決定し、予め主観評価実験を行うことでこれら定数を求めることが可能である。
【００２８】
各定数を求める具体的方法は、まず、音声／映像品質の異なる複数の実験条件を設定し、これらに対し主観評価実験を行う。各品質は音声／映像通信サービス環境（無効パケット率、パケット遅延時間／ゆらぎ時間などのネットワークパラメータ）が制御できる実験系、例えば、ネットワークエミュレータ装置を介して、音声または映像コミュニケーションサービスを用いる端末／アプリケーションを接続するなどの実験系を用いることで制御可能である。
【００２９】
主観評価実験では、被験者に想定するサービス利用シーンを模擬する会話を実施してもらい、ＭＯＳ値として、５段階尺度（非常に良い、良い、どちらともいえない、悪い、非常に悪い）により得られる値を求める。また、心理要因の抽出と心理得点の算出には、ＳＤ法により得られたデータに因子分析を施し、それらのデータに重回帰モデルを適用することにより心理（因子）得点Ｓ1，Ｓ2，Ｓ3を算出することができる。
【００３０】
次に、図２を参照して、心理得点推定部２の美的感推定手段２１、躍動感推定手段２２、および力量感推定手段２３で、心理得点Ｓ1，Ｓ2，Ｓ3（Ｓｎ，ｎ＝１〜３の整数）を算出するステップについて説明する。
美的感推定手段２１、躍動感推定手段２２、および力量感推定手段２３は、それぞれ図２に示した推定手段２０の構成を用いて、それぞれ心理得点Ｓ1（美的感）、心理得点Ｓ2（躍動感）、心理得点Ｓ3（力量感）を計算する。
【００３１】
推定手段２０では、まず、個別計算部６１〜６ｉ，７１〜７ｊ，８１〜８ｋにより、それぞれ所定の推定式を用いて、品質パラメータごとに、個別映像品質心理得点Ｖn1〜Ｖni、個別音声品質心理得点Ａn1〜Ａnj、および個別遅延心理得点Ｄn1〜Ｄnkを推定算出する（ステップ１）。
次に、統合計算部６０，７０，８０によりステップ１で得られた品質パラメータごとの個別心理得点Ｖn1〜Ｖni，Ａn1〜Ａnj，Ｄn1〜Ｄnkに基づき、予め求めた推定式を用いて、映像、音声、遅延のパラメータを統合した統合映像品質心理得点Ｖn、統合音声品質心理得点Ａn、統合遅延品質心理得点Ｄnを算出する（ステップ２）。最後に、心理得点計算部９０により、ステップ２で得られた映像、音声、遅延に関する統合心理得点Ｖn，Ａn，Ｄnに基づき、予め求めた推定式を用いて心理得点Ｓnを算出する（ステップ３）。
【００３２】
以下の各推定式において、αn、βn、γn、αnm、βnm、γnmは主観評価実験で予め求めた定数である。また、Ｆｒはフレームレート、Ｂｒは映像ビットレート（スループット）、Ｐａは音声無効パケット率、Ｐｖは映像無効パケット率、Ｄは映像と音声が同期する場合の遅延時間であり、これらはパラメータ記録部１で記録され心理得点推定部２へ入力される。
【００３３】
美的感に関する心理得点Ｓ1を推定するための推定式の一例を以下に示す。
［ステップ１］
Ｖ11＝α11＋β11・exp(−Ｐｖ／γ11)
Ｖ12＝α12＋β12・exp(−Ｆｒ／γ12)
Ｖ13＝α13＋β13・exp(−Ｂｒ／γ13)
Ａ11＝α14＋β14・exp(−Ｐａ／γ14)（映像有の場合）
Ａ11＝α15＋β15・exp(−Ｐａ／γ15)（映像無の場合）
［ステップ２］
Ｖ1＝α10Ｖ11＋β10Ｖ12＋γ10Ｖ13（映像有の場合）
Ｖ1＝０（映像無の場合）
Ａ1＝Ａ11
［ステップ３］
Ｓ1＝α1＋β1Ｖ1＋γ1Ａ1（映像有の場合）
Ｓ1＝Ａ1（映像無の場合）
【００３４】
躍動感に関する心理得点Ｓ2を推定するための推定式の一例を以下に示す。
［ステップ１］
Ｖ21＝α21＋β21・exp(−Ｐｖ／γ21)
Ｖ22＝α22＋β22・exp(−Ｆｒ／γ22)
Ａ21＝α23＋β23・exp(−Ｐａ／γ23)（映像有の場合）
Ａ21＝０（映像無の場合）
Ｄ21＝α24＋β24・exp(−Ｄ／γ24)（映像有の場合）
Ｄ21＝α25＋β25Ｄ（映像無の場合）
［ステップ２］
Ｖ2＝α20＋β20Ｖ21＋γ20Ａ22（映像有の場合）
Ｖ2＝０（映像無の場合）
Ａ1＝Ａ11
Ｄ2＝Ｄ21
［ステップ３］
Ｓ2＝α2＋β2Ｖ2＋γ2Ａ2＋δ2Ｄ2（映像有の場合）
Ｓ2＝Ｄ2（映像無の場合）
【００３５】
力量感に関する心理得点Ｓ3を推定するための推定式の一例を以下に示す。
［ステップ１］
Ｖ31＝α31＋β31・exp(−Ｆｒ／γ31)
Ｄ31＝α32＋β32・exp(−Ｄ／γ32)（映像有の場合）
Ｄ31＝α33＋β33・exp(−Ｄ／γ33)（映像無の場合）
［ステップ２］
Ｖ3＝Ｖ31（映像有の場合）
Ｖ3＝０（映像無の場合）
Ｄ3＝Ｄ31
［ステップ３］
Ｓ3＝α3＋β3Ｖ3＋γ3Ｄ3（映像有の場合）
Ｓ3＝Ｄ3（映像無の場合）
【００３６】
このようにして、心理得点推定部２の美的感推定手段２１、躍動感推定手段２２、および力量感推定手段２３で、心理得点Ｓ1，Ｓ2，Ｓ3を算出した後、満足度推定部３により、所望のコミュニケーションサービスに関する満足度評価値ＭＯＳを目的変数とし、美的感の心理得点Ｓ1、躍動感の心理得点Ｓ2、力量感の心理得点Ｓ3を説明変数として、重回帰分析を行うことにより、以下の満足度ＭＯＳの推定式
ＭＯＳ＝α＋βＳ1＋γＳ2＋δＳ3
に関する定数α、β、γ、δの値を求める。
【００３７】
なお、音声または映像を用いたネットワークコミュニケーションサービスに対する満足度ＭＯＳを推定する関数を導出するための具体的な主観評価実験は、例えば講演論文集、２００５年３月：電子情報通信学会総合大会「双方向マルチモーダルサービスにおける映像付加の効果に関する一検討」などの公知の実験方法を用いればよい。
また、上記ステップ２、ステップ３での推定式の決定は、多重共線性（マルチコ）、有意水準の観点から決定される。同様に、相互作用の項、例えば後述のステップ２におけるＶn1Ｖn2、Ａn1Ａn2、Ｄn1Ｄn2や、ステップ３におけるＶnＡn、ＡnＤn、ＤnＶnなど）の項に関しては、マルチコや有意水準の観点から有無を判断する。なお、ステップ２を考慮せず、ステップ１からステップ３へ直接推定する推定式を用いてもよい。
【００３８】
指示者の出す指示に従いながらブロックをある形状（例えば、文字など）に完成するための会話をする場合を想定した評価結果に本推定関数を適用した結果を図３に示す。縦軸は実測により求めた総合品質値ＭＯＳｓ(Subjective MOS)、横軸は心理得点を利用し求めた総合品質値ＭＯＳｅ(Estimated MOS)を示している。図３に示すように、実測したＭＯＳｓと本実施の形態により推定したＭＯＳｅとの交点に位置するデータのほとんどが、誤差ゼロを示す４５度の線上に位置することから、上記ＭＯＳ推定式は非常に精度良く総合品質を推定していることがわかる。
【００３９】
このように、本実施の形態では、ネットワークコミュニケーションサービスでの映像、音声、遅延に関する各品質パラメータに基づいて、ネットワークコミュニケーションサービスから利用者が受ける印象を構成する所定の心理要因ごとに、その度合いを示す心理得点をそれぞれ推定し、これら心理得点の線形和に基づき、ユーザのコミュニケーションサービスに対する満足度を推定するようにしたので、ネットワークコミュニケーションサービスからユーザが受ける印象に応じた品質評価尺度を得ることができ、音声メディアや映像メディアを用いた通信サービスを総合的に評価できる。
【００４０】
したがって、音声のみを用いた音声コミュニケーションサービスや音声メディアと映像メディアを用いた映像コミュニケーションサービスなど、異なるメディアを用いた複数の通信サービスに関する品質を統一的に評価することができる。これにより、各ネットワークコミュニケーションサービスを同じ基準で比較することができ、各種サービスが混在した現状において、いずれのサービスがユーザにとって有用であるかを判別することができる。
また、テレビ電話／会議サービスなど、各メディアの伝送遅延時間やメディア間の遅延時間のずれ（同期ずれ）がサービスの品質を劣化させる原因となり得る双方向マルチモーダルサービスについても、その品質評価尺度として利用できる。
【００４１】
このほか、サービスを利用するユーザに対してある一定以上の満足度を保っているかどうかを容易に判断することができる。また、満足度をより改善するための指針として、改善すべき品質パラメータを明確にできるとともに、料金設定などサービス提供者側が適切にユーザ満足度を設計できる。これらにより、上記サービスで用いる品質パラメータの設計や、提供中のサービスの品質実態を把握・管理することが可能となる。
【００４２】
具体的には、ユーザに対してある一定以上の満足度を保つための品質要求条件を明確にすることができる。また、音声コミュニケーションと映像コミュニケーションが混在する現状で、どちらのサービスがユーザにとって有用であるか不明確であった点を数値化することができる。これにより、上記サービスで用いる映像品質パラメータ（映像無効パケット率、映像ビットレート、フレームレート、コーデックなど）、音声品質パラメータ（音声無効パケット率、コーデックなど）、遅延品質パラメータ（遅延時間、同期ずれなど）、さらには後述の利便性（デスクトップＰＣ、ノートＰＣ、ＰＤＡ、携帯電話など）や料金の設計、提供中のサービス品質実態を把握・管理することが可能となる。
【００４３】
［第２の実施の形態］
次に、図４を参照して、本発明の第２の実施の形態にかかるネットワークコミュニケーションサービス満足度推定装置について説明する。図４は、本発明の第２の実施の形態にかかるネットワークコミュニケーションサービス満足度推定装置の構成を示すブロック図であり、前述の図１と同じまたは同等部分には同一符号を付してある。
【００４４】
前述した第１の実施の形態では、心理得点推定部２において、通信サービスから利用者が感じる美的感、躍動感、および力量感に関する得点を推定する場合について説明した。本実施の形態では、これらに加えて利便性および値頃感に関する得点についても推定し、これら得点からコミュニケーションサービス満足度を推定する場合について説明する。
【００４５】
図４のネットワークコミュニケーションサービス満足度推定装置１００Ａにおいて、パラメータ記録部１には、映像品質パラメータ記録手段１１、音声品質パラメータ記録手段１２、および遅延品質パラメータ記録手段１３に加えて、端末情報記録手段１４および料金記録手段１５が設けられている。
入力された品質パラメータのうち、評価対象となるネットワークコミュニケーションサービスで用いた端末に関する端末パラメータ５４については端末情報記録手段１４で記録される。また、評価対象となるネットワークコミュニケーションサービスの料金に関する料金パラメータ５５については料金記録手段１５で記録される。
【００４６】
また、心理得点推定部２には、前述した美的感推定手段２１、躍動感推定手段２２、および力量感推定手段２３に加えて、利便性推定手段２４および値頃感推定手段２５が設けられている。これら利便性推定手段２４および値頃感推定手段２５は、いずれか一方を設けてもよく、両者を設けてもよい。
美的感推定手段２１は、パラメータ記録部１で記録された映像、音声、遅延、端末情報、料金に関する品質パラメータ値から美的感に関する心理要因推定値を算出し出力する機能を有している。躍動感推定手段２２は、パラメータ記録部１で記録された映像、音声、遅延、端末情報、料金に関する品質パラメータ値から躍動感に関する心理要因推定値を算出し出力する機能を有している。
【００４７】
力量感推定手段２３は、パラメータ記録部１で記録された映像、音声、遅延、端末情報、料金に関する品質パラメータ値から力量感に関する心理要因推定値を算出し出力する機能を有している。利便性推定手段２４は、パラメータ記録部１で記録された映像、音声、遅延、端末情報、料金に関する品質パラメータ値から美的感に関する心理要因推定値を算出し出力する機能を有している。値頃感推定手段２５は、パラメータ記録部１で記録された映像、音声、遅延、端末情報、料金に関する品質パラメータ値から値頃感に関する心理要因推定値を算出し出力する機能を有している。
【００４８】
満足度推定部３は、心理得点推定部２により推定された美的感、躍動感、力量感、利便性、値頃感の心理得点を入力とし、それらの値に重み付けした値に基づいて音声または映像コミュニケーションサービスに対する満足度を推定し、満足度評価値４を出力する機能を有している。
なお、心理得点推定部２や満足度推定部３で用いる各推定式については、前述した第１の実施の形態と同様に、予め主観評価実験を行うことで各推定式の定数を求めることが可能である。
【００４９】
このように、本実施の形態によれば、心理得点推定部２に、美的感推定手段２１、躍動感推定手段２２、および力量感推定手段２３に加えて、利便性推定手段２４を追加して設け、これら心理要因に関する心理得点から満足度評価値４を推定するようにしたので、ネットワークコミュニケーションサービスを利用するユーザの利用環境に起因する利便性を満足度に反映させることができる。これにより、異なる利用環境下におけるネットワークコミュニケーションサービスを同一基準で比較でき、個々のユーザの利用環境に応じた有用性を精度よく判別できる。
【００５０】
また、心理得点推定部２に、美的感推定手段２１、躍動感推定手段２２、および力量感推定手段２３に加えて、値頃感推定手段２５を追加して設け、これら心理要因に関する心理得点から満足度評価値４を推定するようにしたので、ネットワークコミュニケーションサービスを利用するユーザの経済観念に起因する経済性を満足度に反映させることができる。これにより、異なるコスト環境下におけるネットワークコミュニケーションサービスを同一基準で比較でき、経済性に応じた有用性を精度よく判別できる。
【００５１】
なお、以上の各実施の形態において、パラメータ記録部１は、ユーザが利用しているネットワークコミュニケーションサービスについて、ネットワークやユーザ端末あるいは通信相手端末で取得された映像品質パラメータ５１、音声品質パラメータ５２、遅延品質パラメータ５３、さらには端末パラメータ５４や料金パラメータ５５を取得して記録し、心理得点推定部２および満足度推定部３で演算処理することにより、所望の満足度をリアルタイムで推定するようにしてもよい。
あるいは、これらパラメータを別個の収集装置で収集しておき、ネットワークコミュニケーションサービスが終了した後、その収集装置から取り込んでパラメータ記録部１で記録し、所望の満足度を推定するようにしてもよい。
【図面の簡単な説明】
【００５２】
【図１】本発明の第１の実施の形態にかかるネットワークコミュニケーションサービス満足度推定装置の構成を示すブロック図である。
【図２】心理得点推定部の各推定手段の構成例を示すブロック図である。
【図３】実際の主観評価結果と推定結果との対応関係を示す説明図である。
【図４】本発明の第２の実施の形態にかかるネットワークコミュニケーションサービス満足度推定装置の構成を示すブロック図である。
【符号の説明】
【００５３】
１００，１００Ａ…サービス満足度推定装置、１…パラメータ記録部、１１…映像品質パラメータ記録手段、１２…音声品質パラメータ記録手段、１３…遅延品質パラメータ記録手段、１４…端末情報記録手段、１５…料金記録手段、２…心理得点推定部、２０…推定手段、２１…美的感推定手段、２２…躍動感推定手段、２３…力量感推定手段、２４…利便性推定手段、２５…値頃感推定手段、３…コミュニケーション満足度推定手段、４…満足度評価値（ＭＯＳ値）、５１…映像品質パラメータ、５２…音声品質パラメータ、５３…遅延品質パラメータ、５４…端末パラメータ、５５…料金パラメータ、６１，６２〜６ｉ，７１，７２〜７ｊ，８１，８２〜８ｋ…個別計算部、６０，７０，８０…統合計算部、９０…心理得点計算部。
【図１】
2006324865.tif 000003
【図２】
2006324865.tif 000004
【図３】
2006324865.tif 000005
【図４】
2006324865.tif 000006